(57)【要約】      （修正有）【課題】外径有効径テーパーネジ型埋込みナットは、従来の外径ネジ型埋込みナットには無いテーパーネジに拠る圧入効果が有り、埋め込み挿入後のコーキングや接着加工は不要となったが、挿入治具に埋込みナットがロックされたままロック解除出来ずに埋込みナットを抜き戻すことがあった。【解決手段】埋込み治具のロック用スライド部のガイドネジ６Ｂをスライド部から分離し、回転方向に４分の１回転程度の遊びを持たせ軸方向にもロック解除時１ｍｍ程度の遊びが出来る様な変則カップリング機構を組み込む事で、ガイド軸２とロック用スライド部外径ツマミを回転する際、外径ツマミ５Ａの回転を先行することで、埋め込みナットに対する治具のロック或いはロック解除が確実な治具が提供出来る。【選択図】図１
0003108102.tif 000002
【実用新案登録請求の範囲】
【請求項１】
ナット挿入用ツマミと一体になったガイド軸の先端に、ナット保持用ガイドネジが有り、ガイド軸の中間はガイド軸上をスライドするロック用スライド部を保持駆動するための、ガイドネジと反方向のロック用ネジが設けられ、ロック用スライド部外径ツマミの内側にはガイド軸のロック用ネジに螺合するロックネジが、回転方向に９０度の遊びを持ち、スラスト方向にはロック時遊び０、ロック解除時には１ミリ前後の遊びが出来る変則カップリング機構に拠ってロック用スライド部に結合され、埋め込みナットと反対方向にスライドするロック用スラシド部の先端に、埋め込みナットをロックする突き当て部が有り、ガイド軸先端の埋め込みナットをその保持位置でロック又はロック解除する様にした、外径有効径テーパーネジ型埋込みナット用挿入治具。
【考案の詳細な説明】
【技術分野】
【０００１】  本考案は、軽合金・モールド製品等のネジ孔の強化や、修正等に使する用する埋め込みナットの挿入埋め込み作業の作業性・信頼性の向上が得られる。
【背景技術】
【０００２】  従来外径ネジ型埋め込みナットや外形有効径テーパーネジ型埋込みナットの挿入埋め込みには突き当ての有るガイドネジでナットを保持して、ねじ込み挿入し口元をコーキング或いは接着を行ってからガイドネジを抜き取っていた。【０００３】  ナット埋め込み挿入用つまみと一体となったガイド軸の先端に、ナット保持用ガイドネジが有り、ガイド軸上をスライドするロック部つまみを回すことでガイドネジと反方向のロック用ネジによってスライドするロック部が、ナットをガイドネジにロック或いは解除できる挿入治具も開発されている。
【特許文献】          実用新案登録第２５４００１１５
【非特許文献】
【考案の開示】
【考案が解決しようとする課題】
【０００４】  外径有効径テーパーネジ型埋込みナットは、従来の外径ネジ型埋込みナットには無いテーパーネジによる圧入効果が有り、埋め込み挿入後のコーキングや接着加工は不要となったが、挿入治具に埋め込みナットがロックされたまま解除出来ずに埋め込みナットを抜き戻すことがあった。
【課題を解決するための手段】
【０００５】  ナット埋め込み挿入用ツマミと一体になったガイド軸の先端にナット保持用ガイドネジが有り、ガイド軸の中間にはロック用スライド部を駆動するためのガイドネジと反方向のロック用ネジが有り、ロック用スライド部の外径部（ツマミ）の内側に回転方向に約９０度の遊びを持ち軸方向当たり面にテーパーを持つた変則カップリングに保持されたガイド軸のロック用ネジに螺合するロック用ガイドネジが設けられ、ガイド軸を回す事でガイド軸に対し埋め込みナットと反対方向にスライドすろロック用スライド部の先端が、埋め込みナットをロックするロック用突き当てになっていて、ガイド軸とロック用スライド部外径ツマミを同方向に回す事に拠って、ガイド軸端の埋め込みナットをその保持位置にロック又はロック解除出来る様にする。
【考案の効果】
【０００６】  ロック用スライド部のガイドネジをスライド部から分離し、回転方向に約９０度の遊びを持ち軸方向の突き当て部に回転方向に僅かなテーパーを設け、ガイドネジの結合爪がスライドする様にした変則カップリングに拠って保持したことでガイド軸とロック用スライド部外径ツマミを同方向回転させる際ロック用スライド部外径ツマミの回転を僅かに先行させる事で、埋め込みナットに対するガイド軸のロック或いはロック解除が簡単確実になり、作業性・信頼性が向上する。
【考案を実施するための最良の形態】
【０００７】  ナット埋め込み挿入用つまみと一体となったガイド軸の先端に、埋め込みナット保持用ガイドネジが有り、治具の中間部のガイド軸にロック用スライド部を駆動する、ナット保持用ネジと反方向のロック用ガイドネジを設けたカイド軸と、ロック用スライド部から分離し回転方向に９０度の遊びと結合爪の突き当て部に僅かなテーパーを持たせ軸方向にロック用スライド部ガイドネジが移動する様にした変則カップリングによって結合したロック用スライド部との組合せ。
【実施例１】
【０００８】  図１は本考案実施例の説明図であって、ナット埋め込み挿入用ツマミ（３）と一体になったガイド軸の（２）の先端に埋め込みナット（８）保持用ガイドネジ（１）が有り、ガイド軸の中間にはロック用スライド部（７Ａ）を駆動するための、埋め込みナット（８）の保持用ガイドネジ（１）と反方向のロック用ネジ（６Ａ）があり、ロック用スライド部（７Ａ）の外径部ツマミ（５Ａ）の内側に回転方向に約９０度の遊びを持ち軸方向当たり面にテーパー（７Ｂ）を持った変則カップリング用結合爪（６Ｃ）とに拠って保持された、ガイド軸（２）のロック用ネジ（６Ａ）に螺合するロック用ガイドネジ（６Ｂ）が設けられ、ガイド軸（２）のツマミ（３）を回す事で、ガイド軸（２）に対し埋め込みナット（８）と反対方向にスライドするロック用スライド部（７Ａ）の先端が、埋め込みナット（８）をロックするロック用突き当て（４）になっていて、ガイド軸ツマミ（３）とロック用スライド部外径ツマミ（５Ａ）を同方向に回す事に拠って、ガイド軸端の保持用ガイドネジ（１）に保持された埋め込みナット（８）を、その保持位置でロック又はロック解除出来る。
【実施例２】
【０００９】  図２は変則カップリング部分の動作説明図でナット埋め込み挿入用ツマミ（３）と一体になったガイド軸（２）に設けられたロック用スライド部（７Ａ）を駆動するための、ロック用ガイドネジ（６Ｂ）に螺合するロックネジ（６Ａ）が設けられ、これと螺合するロック用ガイドネジ（６Ｂ）は結合爪（６ｃ）と、ロック用スライド部の端面に設けたテーパー爪（７Ｂ）に拠って、ロック用スライド部（７Ａ）の動きが伝達される。又ロック用スライド部を回す為の外径ツマミ（５Ａ）はロック用スライド部に押しネジ（５Ｂ）に拠って確りと固定され、ストップリング（５Ｃ）に拠ってロック用スライド部（７Ａ）がガイド軸（２）から脱落しない様になっている。そして回転方向（９）に拠りロック時と解除時の各部関係位置は解除時には（５Ｂ’）（６Ｂ’）（６Ｃ’）（７Ｂ’）の様になる。
【産業上の利用可能性】
【００１０】  埋め込みナットの挿入埋め込み作業の自動化や、抜き取り作業にも応用出来る可能性ガある。
【図面の簡単な説明】
【００１１】
【図１】本考案の治具の構造の説明図である。
【図２】本考案の治具に於ける変則カップリング部の動作説明図である。
【符号の説明】
【００１２】  １……保持用ガイドネジ
２……ガイド軸
３……ナット埋め込み挿入用ツマミ
３Ａ……ガイド軸固定ピン
４……ロック用突き当て部
５Ａ……外径部ツマミ
５Ｂ……外径部ツマミ固定ネジ
５Ｂ’…ロック解除時の外径部ツマミ固定ネジの位置
５Ｃ……ストップリング
６Ｂ  …ロック用ガイドネジ
６Ｂ’…ロック解除時のロック用ガイドネジの位置
６Ｃ……結合爪
６Ｃ’…ロック解除時の結合爪の位置
７Ａ……ロック用スライド部
７Ｂ……テーパー爪
７Ｂ’…ロック解除時のテーパー爪の位置
８……埋め込みナット
９……回転方向
【図１】
0003108102.tif 000003
【図２】
0003108102.tif 000004